(57)【要約】【課題】本発明は画面を保護できるスマホカバーを開示した。【解決手段】カバー主体と、前記カバー主体の中に設置されている防護装置とを含み、前記防護装置は前記カバー主体の中に左右対称的に設置されている空きチャンバを含み、前記空きチャンバの中には巻き輪が設置され、前記巻き輪には閉鎖テープが巻き付くように設置され、本発明は構造が簡単で、使用が便利で、スマホをいじらない時にスマホの画面を閉鎖することにより画面を保護し、硬いもので画面を傷つけることを防止し、スマホに全面的な防護を提供し、スマホを弄る時、スイッチをスライドさせれば、防護装置１００の開閉を制御することができ、非常に便利である。【選択図】図２
2020182203.tif 000002
【特許請求の範囲】
【請求項１】
正面視で、カバー主体と、前記カバー主体の中に設置されている防護装置とを含み、前記防護装置は前記カバー主体の中に左右対称的に設置されている空きチャンバを含み、前記空きチャンバの中には巻き輪が設置され、前記巻き輪には閉鎖テープが巻き付くように設置され、前記カバー主体の中には前方に開口したスマホチャンバが設置され、前記カバー主体の中には前記空きチャンバと前記スマホチャンバとを連通するスライド溝が設置され、前記閉鎖テープが前記スライド溝の中にスライドできるように設置され、前記閉鎖テープの一端が前記スマホチャンバの中まで伸びており、且つ前記閉鎖テープの一端にはゴムブロックが固定的に設置され、左右の前記ゴムブロックが当接しており、それによりスマホの画面を閉鎖でき、前記カバー主体の中には制御装置が設置され、前記制御装置はスイッチ機構と、切換機構と、動力機構とを含み、前記動力機構が前記防護装置と伝動できるように係合され、前記スイッチ機構は前記カバー主体の左端面に設置されているスイッチ溝を含み、前記スイッチ溝の中にはスイッチがスライドできるように設置され、前記切換機構は前記カバー主体の中に左右対称的に設置されているギヤチャンバを含み、左側の前記ギヤチャンバの中には力蓄積軸が設置され、前記力蓄積軸にはスプラインスリーブがスプラインにより係合され、前記スプラインスリーブには切換ギヤが固定的に設置され、前記ギヤチャンバの前後壁の間にはギヤ軸が回転できるように設置され、前記ギヤ軸には前記切換ギヤと噛み合っている下ギヤが固定的に設置され、前記スイッチ機構により前記切換ギヤが前記下ギヤと噛み合うかどうかを制御し、それにより前記防護装置のオンとオフを実現することを特徴とする画面を保護できるスマホカバー。
【請求項２】
前記防護装置は前記ゴムブロックの上下端面に上下対称的に固定的に設置されているリミットブロックを含み、前記閉鎖テープが二層に分けられ、その中、スマホの画面に接近している側がゴム材質であり、且つその側には歯が設置され、前記スマホチャンバの左右端面にはリミット溝が対称的に設置され、前記空きチャンバの前後壁には巻き輪軸が回転できるように設置され、前記巻き輪軸には前記巻き輪が固定的に設置され、前記巻き輪軸にはセカンダリプーリが固定的に設置されることを特徴とする請求項１に記載の画面を保護できるスマホカバー。
【請求項３】
前記動力機構は前記動力チャンバの頂壁に固定的に設置されているモータを含み、前記モータの下端には動力軸が動力が伝達できるように接続され、前記動力軸にはプライマリプーリが固定的に設置され、前記プライマリプーリと前記セカンダリプーリとの間がベルトにより接続され、
その他、前記スイッチ機構は、前記スイッチ溝の頂壁に固定的に設置されており、且つ前記モータと電気的に接続されているセンサーを含み、左側の前記空きチャンバの左壁と前記スイッチ溝との間には連通穴が連通して設置され、前記連通穴の中には左端が前記スイッチと固定的に接続されている固定ブロックがスライドできるように設置され、左側の前記空きチャンバの中には前記固定ブロックの右端面に固定的に接続されている後接続ブロックが設置され、前記後接続ブロックの右側には後ラチェット歯止めがヒンジにより接続され、左側の前記ギヤチャンバの中には前記固定ブロックの右端面に固定的に接続されている前接続ブロックが設置され、それにより前記スイッチのスライドにより前記モータの起動を制御することを実現することを特徴とする請求項１に記載の画面を保護できるスマホカバー。
【請求項４】
前記切換機構は前記スプラインスリーブの外円面に固定的に設置されている切換ブロックを含み、前記切換ブロックの中には左方に開口した歯チャンバが設置され、前記前接続ブロックのうち前記歯チャンバの中まで伸びている一端には前ラチェット歯止めがヒンジにより接続され、前記前接続ブロックの後端面にはゴム歯が固定的に設置され、前記歯チャンバの後端面にはゴム固定歯が固定的に設置され、前記ゴム固定歯と、前記ゴム歯とがゴム材質であり、前記力蓄積軸には捻りばねが固定的に設置され、前記捻りばねのもう一端が左側の前記ギヤチャンバの底壁と接続され、前記ギヤ軸には上ギヤが固定的に設置され、前記上ギヤが前記閉鎖テープと噛み合っており、前記巻き輪軸には後ギヤが固定的に設置され、それにより前記モータが始動された時、前記後ギヤが前記切換ギヤを回転連動させ、更にそれにより前記捻りばねに力を蓄積させることを実現することを特徴とする請求項１に記載の画面を保護できるスマホカバー。
【発明の詳細な説明】
【技術分野】
【０００１】
本発明はスマホカバー技術分野に関わり、具体的には画面を保護できるスマホカバーである。
【背景技術】
【０００２】
スマホをポケットの中に入れる時、スマホはポケットの中にある鍵などの硬いものとぶつかり、傷つきやすく、そのため人々はスマホにスマホカバーを付けてスマホを保護し、しかし、伝統的なスマホカバーはスマホの背面と側面しか保護できなく、スマホの画面を保護することができなく、従って、上記の欠点を解消するため、本装置を提供した。
【先行技術文献】
【特許文献】
【０００３】
【特許文献１】中国特許出願公開第１０６７９０８７３号明細書
【発明の概要】
【発明が解決しようとする課題】
【０００４】
上記技術の問題点を解消するため、本発明は画面を保護できるスマホカバーを提出する。
【課題を解決するための手段】
【０００５】
本発明は画面を保護できるスマホカバーであり、画面を保護できるスマホカバーはカバー主体と、前記カバー主体の中に設置されている防護装置とを含み、前記防護装置は前記カバー主体の中に左右対称的に設置されている空きチャンバを含み、前記空きチャンバの中には巻き輪が設置され、前記巻き輪には閉鎖テープが巻き付くように設置され、前記カバー主体の中には前方に開口したスマホチャンバが設置され、前記カバー主体の中には前記空きチャンバと前記スマホチャンバとを連通するスライド溝が設置され、前記閉鎖テープが前記スライド溝の中にスライドできるように設置され、前記閉鎖テープの一端が前記スマホチャンバの中まで伸びており、且つ前記閉鎖テープの一端にはゴムブロックが固定的に設置され、左右の前記ゴムブロックが当接しており、それによりスマホの画面を閉鎖でき、前記カバー主体の中には制御装置が設置され、前記制御装置はスイッチ機構と、切換機構と、動力機構とを含み、前記動力機構が前記防護装置と伝動できるように係合され、前記スイッチ機構は前記カバー主体の左端面に設置されているスイッチ溝を含み、前記スイッチ溝の中にはスイッチがスライドできるように設置され、前記切換機構は前記カバー主体の中に左右対称的に設置されているギヤチャンバを含み、左側の前記ギヤチャンバの中には力蓄積軸が設置され、前記力蓄積軸にはスプラインスリーブがスプラインにより係合され、前記スプラインスリーブには切換ギヤが固定的に設置され、前記ギヤチャンバの前後壁の間にはギヤ軸が回転できるように設置され、前記ギヤ軸には前記切換ギヤと噛み合っている下ギヤが固定的に設置され、前記スイッチ機構により前記切換ギヤが前記下ギヤと噛み合うかどうかを制御し、それにより前記防護装置のオンとオフを実現する。
【０００６】
好ましくは、前記防護装置は前記ゴムブロックの上下端面に上下対称的に固定的に設置されているリミットブロックを含み、前記閉鎖テープが二層に分けられ、その中、スマホの画面に接近している側がゴム材質であり、且つその側には歯が設置され、前記スマホチャンバの左右端面にはリミット溝が対称的に設置され、前記空きチャンバの前後壁には巻き輪軸が回転できるように設置され、前記巻き輪軸には前記巻き輪が固定的に設置され、前記巻き輪軸にはセカンダリプーリが固定的に設置される。
【０００７】
好ましくは、前記動力機構は前記動力チャンバの頂壁に固定的に設置されているモータを含み、前記モータの下端には動力軸が動力が伝達できるように接続され、前記動力軸にはプライマリプーリが固定的に設置され、前記プライマリプーリと前記セカンダリプーリとの間がベルトにより接続される。
【０００８】
その他、前記スイッチ機構は、前記スイッチ溝の頂壁に固定的に設置されており、且つ前記モータと電気的に接続されているセンサーを含み、左側の前記空きチャンバの左壁と前記スイッチ溝との間には連通穴が連通して設置され、前記連通穴の中には左端が前記スイッチと固定的に接続されている固定ブロックがスライドできるように設置され、左側の前記空きチャンバの中には前記固定ブロックの右端面に固定的に接続されている後接続ブロックが設置され、前記後接続ブロックの右側には後ラチェット歯止めがヒンジにより接続され、左側の前記ギヤチャンバの中には前記固定ブロックの右端面に固定的に接続されている前接続ブロックが設置され、それにより前記スイッチのスライドにより前記モータの起動を制御することを実現する。
【０００９】
好ましくは、前記切換機構は前記スプラインスリーブの外円面に固定的に設置されている切換ブロックを含み、前記切換ブロックの中には左方に開口した歯チャンバが設置され、前記前接続ブロックのうち前記歯チャンバの中まで伸びている一端には前ラチェット歯止めがヒンジにより接続され、前記前接続ブロックの後端面にはゴム歯が固定的に設置され、前記歯チャンバの後端面にはゴム固定歯が固定的に設置され、前記ゴム固定歯と、前記ゴム歯とがゴム材質であり、前記力蓄積軸には捻りばねが固定的に設置され、前記捻りばねのもう一端が左側の前記ギヤチャンバの底壁と接続され、前記ギヤ軸には上ギヤが固定的に設置され、前記上ギヤが前記閉鎖テープと噛み合っており、前記巻き輪軸には後ギヤが固定的に設置され、それにより前記モータが始動された時、前記後ギヤが前記切換ギヤを回転連動させ、更にそれにより前記捻りばねに力を蓄積させることを実現する。
【発明の効果】
【００１０】
上記により、本発明は構造が簡単で、使用が便利で、スマホをいじらない時にスマホの画面を閉鎖することにより画面を保護し、硬いもので画面を傷つけることを防止し、スマホに全面的な防護を提供し、スマホを弄る時、スイッチをスライドさせれば、防護装置１００の開閉を制御することができ、非常に便利である。
【図面の簡単な説明】
【００１１】
下記に図１〜５をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本発明の画面を保護できるスマホカバーの全体構成概略図
【図２】図２は図１の中のＡ―Ａのところの構成概略図
【図３】図３は図２の中のＢ―Ｂのところの構成概略図
【図４】図４は図２の中のＣ―Ｃのところの構成概略図
【図５】図５は図４の中のＤ―Ｄのところの構成概略図
【発明を実施するための形態】
【００１３】
以下図面の簡単な説明と実施例を合わせて本発明を更に説明し、本発明の方式は以下の実施例を含むが、それに限定されたものではない。
【００１４】
図１〜５に示しているように、本発明装置の画面を保護できるスマホカバーは、カバー主体１０と、前記カバー主体１０の中に設置されている防護装置１００とを含み、前記防護装置１００は前記カバー主体１０の中に左右対称的に設置されている空きチャンバ２２を含み、前記空きチャンバ２２の中には巻き輪２３が設置され、前記巻き輪２３には閉鎖テープ１４が巻き付くように設置され、前記カバー主体１０の中には前方に開口したスマホチャンバ１３が設置され、前記カバー主体１０の中には前記空きチャンバ２２と前記スマホチャンバ１３とを連通するスライド溝２０が設置され、前記閉鎖テープ１４が前記スライド溝２０の中にスライドできるように設置され、前記閉鎖テープ１４の一端が前記スマホチャンバ１３の中まで伸びており、且つ前記閉鎖テープ１４の一端にはゴムブロック１２が固定的に設置され、左右の前記ゴムブロック１２が当接しており、それによりスマホの画面を閉鎖でき、前記カバー主体１０の中には制御装置２００が設置され、前記制御装置２００はスイッチ機構２０１と、切換機構２０３と、動力機構２０２とを含み、前記動力機構２０２が前記防護装置１００と伝動できるように係合され、前記スイッチ機構２０１は前記カバー主体１０の左端面に設置されているスイッチ溝３０を含み、前記スイッチ溝３０の中にはスイッチ１１がスライドできるように設置され、前記切換機構２０３は前記カバー主体１０の中に左右対称的に設置されているギヤチャンバ１７を含み、左側の前記ギヤチャンバ１７の中には力蓄積軸３７が設置され、前記力蓄積軸３７にはスプラインスリーブ３８がスプラインにより係合され、前記スプラインスリーブ３８には切換ギヤ３９が固定的に設置され、前記ギヤチャンバ１７の前後壁の間にはギヤ軸１９が回転できるように設置され、前記ギヤ軸１９には前記切換ギヤ３９と噛み合っている下ギヤ４５が固定的に設置され、前記スイッチ機構２０１により前記切換ギヤ３９が前記下ギヤ４５と噛み合うかどうかを制御し、それにより前記防護装置１００のオンとオフを実現する。
【００１５】
有益なように、前記防護装置１００は前記ゴムブロック１２の上下端面に上下対称的に固定的に設置されているリミットブロック１５を含み、前記閉鎖テープ１４が二層に分けられ、その中、スマホの画面に接近している側がゴム材質であり、且つその側には歯が設置され、前記スマホチャンバ１３の左右端面にはリミット溝１６が対称的に設置され、前記空きチャンバ２２の前後壁には巻き輪軸２１が回転できるように設置され、前記巻き輪軸２１には前記巻き輪２３が固定的に設置され、前記巻き輪軸２１にはセカンダリプーリ３６が固定的に設置される。
【００１６】
有益なように、前記動力機構２０２は前記動力チャンバ２４の頂壁に固定的に設置されているモータ２８を含み、前記モータ２８の下端には動力軸２６が動力が伝達できるように接続され、前記動力軸２６にはプライマリプーリ２７が固定的に設置され、前記プライマリプーリ２７と前記セカンダリプーリ３６との間がベルト２５により接続される。
【００１７】
その他、前記スイッチ機構２０１は、前記スイッチ溝３０の頂壁に固定的に設置されており、且つ前記モータ２８と電気的に接続されているセンサー２９を含み、左側の前記空きチャンバ２２の左壁と前記スイッチ溝３０との間には連通穴３１が連通して設置され、前記連通穴３１の中には左端が前記スイッチ１１と固定的に接続されている固定ブロック３２がスライドできるように設置され、左側の前記空きチャンバ２２の中には前記固定ブロック３２の右端面に固定的に接続されている後接続ブロック３３が設置され、前記後接続ブロック３３の右側には後ラチェット歯止め３４がヒンジにより接続され、左側の前記ギヤチャンバ１７の中には前記固定ブロック３２の右端面に固定的に接続されている前接続ブロック４２が設置され、それにより前記スイッチ１１のスライドにより前記モータ２８の起動を制御することを実現する。
【００１８】
有益なように、前記切換機構２０３は前記スプラインスリーブ３８の外円面に固定的に設置されている切換ブロック４３を含み、前記切換ブロック４３の中には左方に開口した歯チャンバ４１が設置され、前記前接続ブロック４２のうち前記歯チャンバ４１の中まで伸びている一端には前ラチェット歯止め４０がヒンジにより接続され、前記前接続ブロック４２の後端面にはゴム歯４６が固定的に設置され、前記歯チャンバ４１の後端面にはゴム固定歯４７が固定的に設置され、前記ゴム固定歯４７と、前記ゴム歯４６とがゴム材質であり、前記力蓄積軸３７には捻りばね４４が固定的に設置され、前記捻りばね４４のもう一端が左側の前記ギヤチャンバ１７の底壁と接続され、前記ギヤ軸１９には上ギヤ１８が固定的に設置され、前記上ギヤ１８が前記閉鎖テープ１４と噛み合っており、前記巻き輪軸２１には後ギヤ３５が固定的に設置され、それにより前記モータ２８が始動された時、前記後ギヤ３５が前記切換ギヤ３９を回転連動させ、更にそれにより前記捻りばね４４に力を蓄積させることを実現する。
【００１９】
有益なように、前記空きチャンバ１９の前壁には外部空間に連通している上抜き穴１２が設置され、前記上抜き穴１２の中には上カバー板１１が設置され、前記上カバー板１１と前記固定ブロック１８とが連結ブロック１７により連結され、前記空きチャンバ１９の前壁には外部空間に連通している下抜き穴１３が設置され、前記下抜き穴１３の中には下カバー板１４が設置され、前記下カバー板１４が前記送風筒２６の前端面と連結される。
【００２０】
上記の画面を保護できるスマホカバーの実現方法は、以下のステップを含む：
【００２１】
スマホをスマホチャンバ１３の中に置き、左右のゴムブロック１２が当接してスマホの画面を閉鎖し、二つのゴムブロック１２を分離させる時にスイッチ１１を上にスライドさせ、固定ブロック３２により後ラチェット歯止め３４を連動させて後ギヤ３５と係合させ、固定ブロック３２が前接続ブロック４２により前ラチェット歯止め４０を連動させて切換ギヤ３９と係合させ、そして切換ブロック４３と、スプラインスリーブ３８により切換ギヤ３９を連動させて下ギヤ４５との噛み合いから離脱させ、切換ギヤ３９を後ギヤ３５と噛み合わせ、スイッチ１１がセンサー２９を押圧し、それによりモータ２８が始動され、モータ２８が動力軸２６と、プライマリプーリ２７と、ベルト２５と、セカンダリプーリ３６により巻き輪軸２１を回転連動させ、更に巻き輪軸２１が巻き輪２３を回転連動させて閉鎖テープ１４を巻いて分離させ、この時に後ギヤ３５が切換ギヤ３９と、力蓄積軸３７により捻りばね４４を連動させて力を蓄積させ、リミットブロック１５がリミット溝１６の中まで運動した時に閉鎖テープ１４が完全に分離し、モータ２８が閉まり、切換ギヤ３９が前ラチェット歯止め４０の作用のもとで逆方向へ回転しなく、画面を閉鎖する時、スイッチ１１を下にスライドさせ、ゴム固定歯４７とゴム歯４６との間の摩擦力によりまず切換ブロック４３を連動させて壁体と当接するまで下降させた時、ゴム固定歯４７と、ゴム歯４６とが変形し、前接続ブロック４２が下降し続けて前ラチェット歯止め４０を切換ギヤ３９との噛み合いから離脱させ、切換ギヤ３９が後ギヤ３５との噛み合いから離脱して下ギヤ４５と噛み合い、捻りばね４４が復帰して切換ギヤ３９により下ギヤ４５を回転連動させ、下ギヤ４５がギヤ軸１９により上ギヤ１８を回転連動させ、それにより閉鎖テープ１４が張り出し、画面を閉鎖する。
【００２２】
上記により、本発明は構造が簡単で、使用が便利で、スマホをいじらない時にスマホの画面を閉鎖することにより画面を保護し、硬いもので画面を傷つけることを防止し、スマホに全面的な防護を提供し、スマホを弄る時、スイッチをスライドさせれば、防護装置１００の開閉を制御することができ、非常に便利である。
【００２３】
以上は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は請求項に限定された保護範囲を基準とするべきである。
【図１】
2020182203.tif 000003
【図２】
2020182203.tif 000004
【図３】
2020182203.tif 000005
【図４】
2020182203.tif 000006
【図５】
2020182203.tif 000007